(57)【要約】【課題】抜出した吐水口部をスパウトに差込むとき、可撓性ホースがスパウトの内壁に緩衝し、差込みにくくなり操作性が悪化する。さらに、吐水口部がスパウトに保持できなくなるといった問題が生じる可能性もある。そこで、本発明は可撓性ホースを通常の状態に引き戻す力が働き吐水部の収納操作性を図るものである。【解決手段】流体の流入口と流出口を有する水栓本体と吐水ヘッドを有する吐水部と前記水栓本体の流出口と前記吐水ヘッドを接続する可撓性ホースとを有し、前記吐水ヘッドが前記吐水部から抜差し可能な水栓において、前記可撓性ホースと前記水栓本体の流出口との間に前記吐水ヘッドの差込み操作性を容易にするために弾性力を有する連結ホースを設けた【選択図】　図１
2004060409.tif 000002
【特許請求の範囲】
【請求項１】
流体の流入口と流出口を有する水栓本体と吐水ヘッドを有する吐水部と前記水栓本体の流出口と前記吐水ヘッドを接続する可撓性ホースとを有し、前記吐水ヘッドが前記吐水部から抜差し可能な水栓において、前記可撓性ホースと前記水栓本体の流出口との間に前記吐水ヘッドの差込み操作性を容易にするために弾性力を有する連結ホースを設けたことを特徴とする水栓装置。
【発明の詳細な説明】
【０００１】
【発明の属する技術分野】
本発明は、流し台や洗面化粧台に取付けられ、吐水口を有する吐水ヘッドが自在に抜差しできる水栓装置に関するものである。
【０００２】
【従来の技術】
流し台や洗面化粧台に備える水栓として、図４に示すように吐水口部を引き出して使えるようにしたものが従来から知られている。従来の水栓は、内部を中空にした水栓本体１０１に可撓性ホース１０２を挿通し、可撓性ホース１０２の一端に吐水口部１０３を設け、他端を水栓本体１０１の流出管１０４と接続されている。また、吐水口部１０３は、水栓本体１０１のスパウト１０５の吐水口保持部１０６に取付けられ、水栓本体１０１は流し台や洗面化粧台の天板１０７に固定して使用されるものである。
一方、近年の水栓は意匠性の向上を図るため、例えばスパウトの外観は、逆Ｊ字状の曲面形状を有したり、コンパクトな形状となっている。
【０００３】
【発明が解決しようとする課題】
前述のような水栓では、図４に示す従来の水栓と比べると、可撓性ホースを通す水栓本体の中空部の形状が、複雑で狭くなる。そのため、抜出した吐水口部をスパウトに差込むとき、可撓性ホースがスパウトの内壁に緩衝し、差込みにくくなり操作性が悪化する。さらに、吐水口部がスパウトに保持できなくなるといった問題が生じる可能性もある。
そこで、本発明では上記の問題点を解決するため、流体の流入口と流出口を有する水栓本体と吐水ヘッドを有する吐水部と前記水栓本体の流出口と前記吐水ヘッドを接続する可撓性ホースとを有し、前記吐水ヘッドが前記吐水部から抜差し可能な水栓において、前記可撓性ホースと前記水栓本体の流出口との間に前記吐水ヘッドの差込み操作性を容易にするために弾性力を有する連結ホースを設けたことを特徴とする水栓装置を提供するものである。
【０００４】
【課題を解決するための手段】
本発明では、流体のの流入口と流出口を有する水栓本体と吐水ヘッドを有する吐水部と前記水栓本体の流出口と前記吐水ヘッドを接続する可撓性ホースとを有し、前記吐水ヘッドが前記吐水部から抜差し可能な水栓において、前記可撓性ホースと前記水栓本体の流出口との間に前記吐水ヘッドの差込み操作性を容易にするために弾性力を有する連結ホースを設けたことを特徴とする。
【０００５】
これにより、吐水部から抜出した吐水ヘッドを差込むときに、可撓性ホースには差込む方向の差込力と弾性力を有する連結ホースによる引戻す力が働くため、吐水ヘッドの差込みやすくなり、操作性が向上する。
【０００６】
【発明の実施の形態】
以下に図面を参照して本発明をより具体的に説明する。図１は、本発明の水栓装置の概略構成を示した図である。図２は、水栓本体の設置状態を示した断面図である。図３は、吐水部の設置状態を示した断面図である。図４は従来の技術を示す断面図である。
図１、図２に示すように水栓本体１０は、下方に水および湯の各々の流入口（図示しない）と水または湯水の流出口１１を備え、水および湯の各々の流入口には、入水管１２と入湯管１３を挿入するとともに、流出口１１には、弾性力を有する連結ホース１４の先端に設けた嵌合部材１４ａを挿入し、座金１５とビス（図示しない）を用いて水栓本体１０に取付けている。連結ホース１４の他端には接合部材１４ｂを設けている。入水管１２と入湯管１３の夫々の他端には、給水源および給湯源から延びる給水管および給湯管（何れも図示しない）と接続するための水連結管１７、湯連結管１８を接続している。水栓本体１０の内部には、水と湯の混合、水または湯の開閉を行うバルブユニット１９を備え、上部には、湯の温度調整、吐水、止水操作を行うためのハンドル２０を設けて水栓本体１０を構成する。
【０００７】
一方、吐水部２１は、図１、図３に示すように水栓本体１０と別体の構成とし、下方には流し台や洗面化粧台に設置するための台座２２と、外観が曲面を有するスパウト２３と、スパウト２３の先端には、スパウト２３からの抜差しが可能な吐水ヘッド２４を備えている。吐水ヘッド２４の先端は、吐水状態を切替えるレバー２５を備え、他端には可撓性ホース２６を接続して構成する。可撓性ホース２６の他端は連結ホース１４と接続可能な接合部２６ａを有する。
【０００８】
次に、水栓本体１０および吐水部２１の設置方法について説明する。水栓本体１０は、流し台や洗面化粧台の天板３０に予め設置された凸状の取付け座３１に設けた貫通孔３１ａの上方から水連結管１７、湯連結管１８、連結ホース１４を挿入し水栓本体１０を所定の位置に載置した後、水栓本体１０の背面に設けたビス孔２８にビス２９を入れて取付け座３１と水栓本体１０を固定し、天板３０に取付けられる。
【０００９】
吐水部２１も水栓本体１０と同様、天板３０に予め設置された凸状の取付け座３１に設けた貫通孔３１ａの上方から可撓性ホース２６を挿入し、吐水部２１の台座２２を所定の位置に載置した後、台座２２の背面に設けたビス孔２８にビス２９を入れて取付け座３１に吐水部２１を固定した後、可撓性ホース２６に設けた接合部２６ａと連結ホース１４に設けた接合部１４ａを両端が雄ネジの接合部材（図示しない）を用いて天板３０の裏側で接続する。
このようにして、流し台や洗面化粧台に設置された水栓本体１０および吐水部２１は、吐水ヘッド２４をスパウト２３から抜出して使用するときは、可撓性ホース２６が引張られるとともに連結ホース１４も引張られた状態になる。吐水ヘッド２４をスパウト２３に差込む時、スパウト２３の内壁２８と可撓性ホース２６が多少干渉しても連結ホース１４の弾性力で可撓性ホース２６が連結ホース１４の方へ引張られるため、容易に吐水ヘッド２４を差込むことができ、良好な操作性が得られる。
尚、上記実施例では、水栓本体と吐水部を別体の構成としたが、一体として水栓本体を構成してもよい。
【発明の効果】
流体の流入口と流出口を有する水栓本体と吐水口を有する吐水ヘッドと前記水栓本体の流出口と前記吐水ヘッドを接続する可撓性ホースとを有し、前記吐水ヘッドが前記水栓本体から抜差しが可能な水栓において、前記可撓性ホースと前記水栓本体の流出口との間に前記吐水ヘッドの差込み操作性を容易にするために弾性力を有する連結管を設けたことのでスパウトから抜き出した吐水ヘッドを差込む際に可撓性ホースが水栓本体内部に干渉しても弾性力を有する連結管の弾性力によって可撓性ホースを通常の状態に引き戻す力が働き吐水部の収納操作性が向上する。
【図面の簡単な説明】
【図１】本件発明の一実施の形態である水栓装置の概略構成を示した図である。
【図２】本件発明の一実施の形態である水栓本体の設置状態を示した断面図である。
【図３】本件発明の一実施の形態である吐水部の設置状態を示した断面図である。
【図４】従来の技術を示す断面図である。
【符号の説明】
１０　水栓本体
１１　流出口
１２　入水管
１３　入湯管
１４　連結ホース
１５　座金
１７　水連結管
１８　湯連結管
１９　バルブユニット
２０　ハンドル
２１　吐水部
２２　台座
２３　スパウト
２４　吐水ヘッド
２５　レバー
２６　可撓性ホース
２８　ビス孔
２９　ビス
３０　天板
３１　取付け座
【図１】
2004060409.tif 000003
【図２】
2004060409.tif 000004
【図３】
2004060409.tif 000005
【図４】
2004060409.tif 000006